(57)【要約】      （修正有）【課題】収納物の識別情報を配送時に視認でき、廃棄時に露呈させない医療用品類梱包箱を提供する。【解決手段】医療用品類梱包箱１は、側辺２５ａ，２５ｂで連接する第１〜第４側壁板２１〜２４と第１側壁板２１の上辺で折り込まれて天蓋１０を形成する天蓋フラップ１１と第１〜第４側壁板２１〜２４の下辺で折り込まれて底蓋３０を形成する底面フラップ３１，３３とを有し、医療用品類を収納して封止する略直方体であって、第１、第２側壁板２１，２２と第３、第４側壁板２３，２４とが、側辺２５ｂで折り畳まれ、第１、第２側壁板２１，２２及び天蓋フラップ１１の少なくとも何れかに医療用品類の識別情報４０が付され、第３、第４側壁板２３，２４及びフラップ１３，１４，３３等に識別情報４０が付されておらず、それらを外向きにして医療用品類梱包箱１を単数で山折りにし及び／又は複数重ねることによって、識別情報４０を露呈させない。【選択図】図１
0003182647.tif 000002
【実用新案登録請求の範囲】
【請求項１】
互いに側辺で連接し筒状を成す略矩形の第１〜第４側壁板と、その第１側壁板の上辺に連接しそこで折り込まれて天蓋を形成している天蓋フラップと、前記第１〜第４側壁板の下辺に連接しそこで折り込まれて底蓋を形成している底面フラップとを有し、医療用品類を収納して封止する略直方体の医療用品類梱包箱であって、
その第１側壁板とそれに隣り合う第２側壁板との二側壁板、及びその第３側壁板とそれに隣り合う第４側壁板との二側壁板が、それら二側壁板同士で連接し合う側辺で折り畳まれてそれぞれのフラップごとそれらの内壁面で当接でき、
前記第１側壁板、前記第２側壁板、及び前記天蓋フラップの少なくとも何れかが、前記医療用品類の識別情報を付されており、
前記第３側壁板、前記第４側壁板、及びそれら夫々のフラップが、前記医療用品類の識別情報を付されておらず、それらを外向きとなるように前記医療用品類梱包箱を単数で山折りにし及び／又は複数重ねることによって、前記識別情報を露呈させないことを特徴とする医療用品類梱包箱。
【請求項２】
前記第１側壁板と、それに対向している前記第３側壁板とに夫々連接している前記天蓋フラップ同士が、突き合わされて、前記天蓋を形成していることを特徴とする請求項１に記載の医療用品類梱包箱。
【請求項３】
前記第３側壁板と前記第４側壁板との少なくとも何れかに、イメージイラストが付されていることを特徴とする請求項１〜２の何れかに記載の医療用品類梱包箱。
【請求項４】
前記第１側壁板、前記第２側壁板、及び前記天蓋フラップの少なくとも何れかに、前記識別情報と、前記イメージイラストとが付されていることを特徴とする請求項３に記載の医療用品類梱包箱。
【請求項５】
前記イメージイラストが、前記医療用品類の種類に応じた、図形、記号、模様、及び／又は色彩で表わされていることを特徴とする請求項３〜４の何れかに記載の医療用品類梱包箱。
【請求項６】
前記イメージイラストが、前記医療用品類を取り扱う医療従事者及び患者に前記医療用品類の種類を暗示しそれ以外の者に前記医療用品類を想起させないものであることを特徴とする請求項３〜５の何れかに記載の医療用品類梱包箱。
【請求項７】
前記医療用品類が、医薬品であり、前記イメージイラストが、前記医薬品の形態の相違、組成の相違、用量の多少、濃度の濃淡、薬効の強弱、及び／又は付属部品の有無に応じた前記種類に対応して観念的に前記種類を暗示する規則性を有するものであることを特徴とする請求項６に記載の医療用品類梱包箱。
【請求項８】
前記識別情報が、前記医療用品類の種類に応じた、文字の書体、サイズ、及び／又は色彩で表わされていることを特徴とする請求項１〜７の何れかに記載の医療用品類梱包箱。
【請求項９】
段ボール、又は板紙で形成されていることを特徴とする請求項１〜８の何れかに記載の医療用品類梱包箱。
【請求項１０】
前記医療用品類が、在宅医療用で腹膜透析液入りバッグ、プレフィルドシリンジであることを特徴とする請求項１〜９の何れかに記載の医療用品類梱包箱。
【請求項１１】
前記識別情報が、前記医療用品類の製品名、製品番号、用量、濃度、メーカー名、ロット番号、個数、宛先、患者氏名、連絡先、及び使用上の注意事項の少なくとも何れかであることを特徴とする請求項１〜１０の何れかに記載の医療用品類梱包箱。
【考案の詳細な説明】
【技術分野】
【０００１】
本考案は、医療用品類を収納し、在宅医療を受ける患者へ配送する際に用いられる医療用品類梱包箱に関するものである。
【背景技術】
【０００２】
腎不全による国内慢性透析患者数は、年々増加しており、２０１１年末で３０万人を超えている。全透析患者のうち、大半が医療機関での血液透析治療を行っており、３．２％に当たる約９６００人が腹膜透析治療（Peritoneal Dialysis：ＰＤ）を受けている。腹膜透析は、腹腔カニューレを留置する導入治療の後、自宅や勤務先で患者自身が腹腔内に腹膜透析液を注入し、腹膜を介して血液を浄化した後、腹膜透析液を排出する在宅治療法である。腹膜透析は、就寝中に器械を用いて行う自動腹膜透析法（Automated Peritoneal Dialysis：ＡＰＤ）と、日中に数回腹膜透析液を交換する持続携帯腹膜透析法（Continuous Ambulatory Peritoneal
Dialysis：ＣＡＰＤ）とがある。腹膜透析は、自宅などで患者自ら処置できるので、患者の生活の自由度が高い。
【０００３】
腹膜透析液は、腹膜透析患者の病態及び透析法に応じた形態品種、組成、用量、及び濃度ごとに夫々が組み合わされた多種類が用意されている。例えば腹膜透析患者は、持続携帯腹膜透析法の場合、１回当たり約２Ｌの腹膜透析液を１日に４回、毎日合計で約８Ｌを消費する。このような透析治療に用いられる腹膜透析液は、軟質樹脂製のバッグに１回用量ごと収容されて袋に包装され数袋ごとに医療用品類梱包箱に収納されて腹膜透析患者に配送される。多種類に渡る腹膜透析液の誤使用を防止するため、医療従事者や腹膜透析患者が明確に種類を識別できるよう、その識別情報が段ボール製医療用品類梱包箱に付されている。
【０００４】
２Ｌもの腹膜透析液入りバッグが数袋も収納されている医療用品類梱包箱は、大型であるので家庭用ごみ袋に入れて廃棄することが困難である。このため自治体の段ボールごみ収集方法に従い、分別ごみとして廃棄される。廃棄時に医療用品類梱包箱に付された識別情報や個人情報が、近隣住人に見られてしまう恐れがある。腹膜透析患者数が少ないことによる社会での腹膜透析法の認知度が低いことに加えて、腹膜透析患者は、透析処置中以外は宅外で健常人と変わりないから、透析患者であることを口外したがらない。そのため、腹膜透析患者は、医療用品類梱包箱を大量に廃棄することにより、近隣住人から偏見や不審感を持たれないか、また治療内容や氏名，住所を含む様々な個人情報が漏れないか、不安になることが多い。
【０００５】
特許文献１に、収納された物品の内容を理解させるための表示欄が設けられた段ボール箱が開示されているが、医療用品類の識別表示等を隠蔽し得ない。また、特許文献２に、粘着層を有するラベルの貼付，剥離を繰り返すことのできる段ボール箱が開示されている。このラベルに記載された個人情報を段ボール箱廃棄時に剥離することによって個人情報を保護することができるが、腹膜透析液等の識別情報は、印刷によって段ボール箱に付されるので、剥離や抹消ができず、廃棄時に、近隣住人に見られ得る。
【先行技術文献】
【特許文献】
【０００６】
【特許文献１】実用新案登録第３１２５６２８号公報
【特許文献２】実用新案登録第３０２４７９４号公報
【考案の概要】
【考案が解決しようとする課題】
【０００７】
本考案は、前記の課題を解決するためになされたもので、配送時や保管時に腹膜透析液のような医療用品類の識別情報や、患者の個人情報を視認することが可能であり、かつ廃棄時に識別情報や個人情報を隠すことができる医療用品類梱包箱を提供することを目的とする。
【課題を解決するための手段】
【０００８】
前記の目的を達成するためになされた本考案の医療用品類梱包箱は、互いに側辺で連接し筒状を成す略矩形の第１〜第４側壁板と、その第１側壁板の上辺に連接しそこで折り込まれて天蓋を形成している天蓋フラップと、前記第１〜第４側壁板の下辺に連接しそこで折り込まれて底蓋を形成している底面フラップとを有し、医療用品類を収納して封止する略直方体の医療用品類梱包箱であって、その第１側壁板とそれに隣り合う第２側壁板との二側壁板、及びその第３側壁板とそれに隣り合う第４側壁板との二側壁板が、それら二側壁板同士の連接し合う側辺で折り畳まれてそれぞれのフラップごとそれらの内壁面で当接でき、前記第１側壁板、前記第２側壁板、及び前記天蓋フラップの少なくとも何れかが、前記医療用品類の識別情報を付されており、前記第３側壁板、前記第４側壁板、及びそれら夫々のフラップが、前記医療用品類の識別情報を付されておらず、それらを外向きとなるように前記医療用品類梱包箱を単数で山折りにし及び／又は複数重ねることによって、前記識別情報を露呈させないものである。
【０００９】
医療用品類梱包箱は、前記第１側壁板と、それに対向している前記第３側壁板とに夫々連接している前記天蓋フラップ同士が、突き合わされて、前記天蓋を形成していることが好ましい。
【００１０】
医療用品類梱包箱は、前記第３側壁板と前記第４側壁板との少なくとも何れかに、イメージイラストが付されていることが好ましい。
【００１１】
医療用品類梱包箱は、前記第１側壁板、前記第２側壁板、及び前記天蓋フラップの少なくとも何れかに、前記識別情報と、前記イメージイラストとが付されていてもよい。
【００１２】
医療用品類梱包箱は、前記医療用品類が、前記イメージイラストが、前記医療用品類の種類に応じた、図形、記号、模様、及び／又は色彩で表わされていてもよい。
【００１３】
医療用品類梱包箱は、前記イメージイラストが、前記医療用品類を取り扱う医療従事者及び患者に前記医療用品類の種類を暗示しそれ以外の者に前記医療用品類を想起させないものであることが好ましい。
【００１４】
医療用品類梱包箱は、前記医療用品類が、医薬品であり、前記イメージイラストが、前記医薬品の形態の相違、組成の相違、用量の多少、濃度の濃淡、薬効の強弱、及び／又は付属部品の有無に応じた前記種類に対応して観念的に前記種類を暗示する規則性を有するものであってもよい。
【００１５】
医療用品類梱包箱は、前記識別情報が、前記医療用品類の種類に応じた、文字の書体、サイズ、及び／又は色彩で表わされていることが好ましい。
【００１６】
医療用品類梱包箱は、段ボール、又は板紙で形成されていることが好ましい。
【００１７】
医療用品類梱包箱は、前記医療用品類が、在宅医療用で腹膜透析液入りバッグ、プレフィルドシリンジであってもよい。
【００１８】
医療用品類梱包箱は、前記識別情報が、前記医療用品類の製品名、製品番号、用量、濃度、メーカー名、ロット番号、個数、宛先、患者氏名、連絡先、及び使用上の注意事項の少なくとも何れかであることが好ましい。
【考案の効果】
【００１９】
本考案の医療用品類梱包箱は、配送時や保管時に多品種に渡る医療用品類の識別情報を目立たせて、誤使用を防止することができ、かつ廃棄時にこの識別情報を露呈させないようにする結果隠蔽することができる。これによって在宅治療を受けている患者の心理的負担を軽減することができる。識別情報を隠蔽するのに、医療用品類梱包箱を折り畳み、重ねて紐で結束するだけで、複雑な操作を必要としないため、簡便な操作だけで廃棄することができる。
【００２０】
医療用品類梱包箱は、これの外面に記載された識別情報が、医療用品類の識別情報のみならず、他にも個人情報のような保護されるべき情報を、廃棄時に隠蔽することができるので、情報保護に資する。
【図面の簡単な説明】
【００２１】
【図１】本考案を適用する医療用品類梱包箱の一例を示す斜視図である。
【図２】本考案を適用する医療用品類梱包箱が廃棄される状態を示す斜視図である。
【図３】本考案を適用する医療用品類梱包箱の展開図である。
【図４】本考案を適用する医療用品類梱包箱の別な例を示す正面図である。
【図５】本考案を適用する医療用品類梱包箱の別な例を示す斜視図及びこれが廃棄される状態を示す斜視図である。
【考案を実施するための形態】
【００２２】
以下、本考案を実施するための形態を詳細に説明するが、本考案の範囲はこれらの形態に限定されるものではない。
【００２３】
本考案の医療用品類梱包箱１の一形態の斜視図を、図１に示す。図１（ａ）は、腹膜透析液入りバッグ６３が収納される前の状態の医療用品類梱包箱１を示す斜視図である。同図（ｂ）は、腹膜透析液入りバッグ６３が収納された後の状態の医療用品類梱包箱１を、同図（ａ）の対角の方向から見た斜視図である。医療用品類梱包箱１は、筒状部２０と、その上下に天蓋１０及び底蓋３０とを有する略直方体であって、段ボールで形成されている。
【００２４】
側辺２５ａで連接する第１〜第２側壁板２１及び２２と、別な側辺２５ａで連接する第３〜第４側壁板２３及び２４とは、夫々略矩形である。第１〜第２側壁板２１及び２２の二側壁板と、第３〜第４側壁板２３及び２４の二側壁板とは、互いにそれら二側壁板同士が側辺２５ｂで連接している。第１〜第４側壁板２１，２２，２３，２４は、それら側辺２５ａ，２５ｂを外壁側で山折りに曲げられて、筒状部２０を成している。互いに対向する第１及び第３側壁板２１及び２３と、第２及び第４側壁板２２及び２４とは、夫々同形である。フラップ１１，１２，１３，１４は、夫々各側壁板２１，２２，２３，２４の上辺に連接している。フラップ３１，３２，３３，３４は、夫々各側壁板２１，２２，２３，２４の下辺に連接している。筒状部２０の上側で、フラップ１２，１４は内フラップとなり、フラップ１１，１３は天蓋フラップとなっている。筒状部２０の下側で、フラップ３２，３４は内フラップとなり、フラップ３１，３３は底面フラップとなっている。
【００２５】
底面フラップ３１，３３は、内フラップ３２，３４（図３参照）を覆いつつ、夫々第１側壁板２１及び第３側壁板２３の下辺で、筒状部２０の中心側へ折り込まれている。筒状部２０の底部の丁度中央を横切るように底面フラップ３１，３３が突き合された箇所に粘着テープ３５が貼付されていることによって、底蓋３０を形成している。腹膜透析液入りバッグ６３は、筒状部２０及び底蓋３０に囲まれた空間に入れられて収納される。
【００２６】
同様に、天蓋フラップ１１，１３は、内フラップ１２，１４（図３参照）を覆いつつ、夫々第１側壁板２１及び第３側壁板２３の上辺で、筒状部２０の中心側へ折り込まれている。筒状部２０の上部の丁度中央を横切りつつ底面フラップ３１，３３の突き合せ箇所と平行に天蓋フラップ１１，１３が突き合された箇所に粘着テープ１５が貼付されていることによって、天蓋１０を形成している。
【００２７】
収納されている腹膜透析液入りバッグ６３に関する識別情報４０が、第１側壁板２１とそれに隣り合う第２側壁板２２と天蓋フラップ１１とに、印刷によって付されている。この識別情報４０は、収納されている腹膜透析液入りバッグ６３の情報を、医療従事者及び腹膜透析患者に認識させるためのものである。印刷された識別情報４０は、腹膜透析液入りバッグ６３を識別するための製品名（医薬名）、製品番号、用量、濃度、メーカー名、ロット番号、個数や、取扱時や投与時に留意すべき使用上の注意事項が、文字により、又はさらに図形と組み合わされて、印刷されていることによって、医療従事者及び腹膜透析患者にとって必要な情報を、目視し易いように明確に表示している。さらに、識別情報４０は、これらの他、必要に応じ、腹膜透析患者の氏名、配送先住所及び電話番号等を、印字又は手書きで直接記載され又はラベルへ記載されて貼付されている（不図示）ものを、含んでいる。腹膜透析液入りバッグ６３の識別情報４０をその内容毎に夫々イメージ化した図形、例えば用量，濃度と排液バッグ６５の有無とを暗に示す木の葉マークとそれを囲む枠とからなるイメージイラスト５０が、印刷によって記載されている。
【００２８】
第３側壁板２３及び第４側壁板２４に、例えば腹膜透析液入りバッグ６３の用量，濃度を暗に想起する木の葉マークからなるイメージイラスト５０が印刷によって記載されている。このイメージイラスト５０は、腹膜透析液入りバッグ６３の種類に応じたものであって、腹膜透析液入りバッグ６３を、直接表わす文字や図形でなく、暗に想起させ又は同異の識別容易な図形である。このため、医療従事者及び腹膜透析患者は、医療用品類梱包箱１内に収納されている腹膜透析液入りバッグ６３の種類を、一見するだけで把握することができる。しかしこれら以外の者は、イメージイラスト５０を見ても医療用品類梱包箱１に収納されている物が何であるかを、把握することができない。
【００２９】
腹膜透析液入りバッグ６３は、腹膜透析液の品質劣化を防止するため、腹膜透析液入りバッグ６３の押圧による圧力で開通する隔壁６４を隔てた二室を有し、夫々に成分の異なる二液を収容している。腹膜透析液の二液は、使用直前に、腹膜透析液入りバッグ６３の押圧で隔壁６４を開通させて十分に混合されるまでは、分離されたまま保管、流通されるので、変質しない。腹膜透析液入りバッグ６３は、腹膜透析液を、腹膜透析患者の腹腔内に注入したり、腹腔内から排出したりするためのチューブ６２が連結されている。チューブ６２は、途中で分枝して、一方が排液バッグ６５に連結している。腹膜透析液入りバッグ６３、チューブ６２及び排液バッグ６５は、外袋６１に収納されている。
【００３０】
天蓋フラップ１１，１３と、底面フラップ３１，３３とを固定している粘着テープ１５，３５が剥がされ、医療用品類梱包箱１が折り畳まれ、廃棄される時の状態の斜視図を、図２に示す。折り込まれていた天蓋フラップ１１，１３、底面フラップ３１，３３及び内フラップ１２，１４，３２，３４は、すべて起こされると、夫々に連接する各側壁板２１，２２，２３，２４と同一面になる。さらに、医療用品類梱包箱１は、第１側壁板２１及び第２側壁板２２の内壁面と、第３側壁板２３及び第４側壁板２４の内壁面とが当接できるように、互いの側辺２５ｂで折り畳まれる。すると、第１側壁板２１及びこれに連接するフラップ１１，３１、並びに第２側壁板２２及びこれに連接する内フラップ１２，３２からなり、識別情報４０が付されている識別情報表出面７１と、第３側壁板２３及びこれに連接するフラップ１３，３３、並びに第４側壁板２４及びこれに連接する内フラップ１４，３４からなり、識別情報４０が付されていない識別情報非表出面７２とは、表裏の関係になる。折り畳まれた複数の医療用品類梱包箱１は、その最も上と、最も下とを、識別情報表出面７１同士が対向するように重ねられる結果、識別情報非表出面７２が外向きとなる。それらが、紐８０で結束されることによって、識別情報４０は、隠されて外部から視認できないようになっている。
【００３１】
このように、医療用品類梱包箱１は、腹膜透析患者への配送前、配送時及び腹膜透析患者宅での保管時に、収納されている腹膜透析液入りバッグ６３に関する情報を、識別情報４０によって、医療従事者や腹膜透析患者に、明確に示すことができる。一方、腹膜透析患者宅からの廃棄時に折り畳まれ、複数が重ねられることによって、近隣住人に腹膜透析液である旨を含む識別情報４０を見られないように、識別情報４０を隠すことができる。その結果医療用品類梱包箱１は、配送前、配送時及び保管時に、腹膜透析液の誤使用を防止することができるとともに、廃棄時に腹膜透析患者の心理的負担を軽減させることができる。
【００３２】
医療用品類梱包箱１の製造方法を、図３を参照しつつ説明する。医療用品類梱包箱１を形成する段ボールシートを、スロッタにて段ボールシートに溝切りをすることによって、天蓋フラップ１１，１３、底面フラップ３１，３３及び内フラップ１２，１４，３２，３４を作製する。第１側壁板２１と第２側壁板２２と天蓋フラップ１１とに、腹膜透析液入りバッグ６３の所要の識別情報４０及びイメージイラスト５０を印刷する。また、第３〜第４側壁板２３及び２４にイメージイラスト５０を印刷する。印刷後、印刷面が医療用品類梱包箱１の外側になるように、各側辺２５ａ，２５ｂを折り曲げる。次いで、継しろ２６に糊又は接着剤を塗布し、第１側壁板２１の内壁面に貼付して、各側壁板２１，２２，２３，２４を環状に連結する。環状の各側壁板２１，２２，２３，２４を、外側に押し広げて筒状部２０を形成し、内フラップ３２，３４を折り込み、これに重ねて底面フラップ３１，３３を折り込んで底蓋３０を形成する。底面フラップ３１，３３の突合せ箇所を、粘着テープ３５で固定して医療用品類梱包箱１が完成する。印刷した識別情報４０の情報に合致した所定の腹膜透析液入りバッグ６３を、医療用品類梱包箱１に収納し、内フラップ１２，１４、天蓋フラップ１１，１３の順で折り込んで天蓋１０を形成した後、天蓋フラップ１１，１３の突合せ箇所を粘着テープ１５で固定する。宛先、腹膜透析患者氏名、連絡先等が記載された配送票であるラベルを、第１側壁板２１と第２側壁板２２と天蓋フラップ１１との何れかに貼付した後、腹膜透析する患者宅へ配送する。
【００３３】
医療用品類梱包箱１は、次のように使用される。腹膜透析患者宅へ配送された医療用品類梱包箱１は、天蓋１０に貼付された粘着テープ１５が剥がされ、折り込まれている各フラップ１１，１２，１３，１４が起こされて、収納された腹膜透析液入りバッグ６３を取り出し可能に開けられる。腹膜透析液入りバッグ６３を外袋６１ごと医療用品類梱包箱１から取り出す。外袋６１の封が切られた後、腹膜透析液入りバッグ６３を取り出す。腹膜透析液入りバッグ６３を押圧してそれを仕切る脆弱な隔壁６４を開通させ、隔壁６４で仕切られた二室の液を充分に混合し、腹膜透析液を用時調製する。その後、チューブ６２を通じて腹膜透析患者の腹腔内へ腹膜透析液を注入貯留する。血液中の老廃物が腹膜を介して腹腔内の腹膜透析液へ浸透する。所定時間経過後、チューブ６２を通じて腹膜透析液を、腹腔内から排液バッグ６５へ一時的に排出する。そこへ収容された腹膜透析液排液を、トイレ等へ廃棄する。腹膜透析液入りバッグ６３、チューブ６２、排液バッグ６５及び外袋６１を、家庭ごみとして廃棄する。底蓋３０に貼付された粘着テープ３５を剥がし、折り込まれていた各フラップ３１，３２，３３，３４を起こして、医療用品類梱包箱１を側辺２５ｂで折り畳む。複数の医療用品類梱包箱１のうち最上と最下とを、識別情報４０の付された第１側壁板２１と第２側壁板２２と天蓋フラップ１１とを含む面である識別情報表出面７１が対向するように重ねる。これにより、これら医療用品類梱包箱１の最上と最下との第３〜第４側壁板２３及び２４とを含む面である識別情報非表出面７２を外向きにした後、紐８０で結束する。医療用品類梱包箱１を、各自治体のごみ収集方法に従って、家庭ごみとして、廃棄する。
【００３４】
図４に、別な医療用品類梱包箱１の態様を示す。図４は、識別情報４０に組み合わされた図形と、イメージイラスト５０の図形とが、腹膜透析液入りバッグ６３の種類に応じて表された医療用品類梱包箱１の正面図を示している。図４（ａ）〜（ｆ）は、３種の組成の組成番号１３５，２５０，４００の腹膜透析液に、夫々排液バッグ６５有り・無しの合計６種類が用意されている場合を示している。組成の相違は、識別情報４０中の組成番号に組み合わされた図形、例えば夫々数字と丸形，略三角形，略四角形とで明示的に表わされ、イメージイラスト５０の形状、例えば木の葉、木の枝、樹木で暗示的に表されている。排液バッグ有り・無しの差異は、識別情報４０に組み合わされた略四角形の重なりの有り・無し、及びイメージイラスト５０を取り巻く枠状の背景の有り・無しによって表されている。なお、組成番号１３５，２５０，４００は、腹膜透析液１０００ｍＬ中に含まれるブドウ糖が、夫々１３．５ｇ，２５．０ｇ，４０．０ｇであることを示している。具体的に図４（ａ）は組成１３５・排液バッグ無しを示し、同図（ｂ）は組成１３５・排液バッグ有りを示し、同図（ｃ）は組成２５０・排液バッグ無しを示し、同図（ｄ）は組成２５０・排液バッグ有りを示し、同図（ｅ）は、組成４００・排液バッグ無しを示し、同図（ｆ）は、組成４００・排液バッグ有りを示している。第３〜第４側壁板２３及び２４に付すイメージイラスト５０は、第１側壁板２１と第２側壁板２２と天蓋フラップ１１とのイメージイラスト５０と異なっていてもよくイメージイラスト５０の木の葉、木の枝、樹木だけで表わしてもよい。
【００３５】
イメージイラストが、腹膜透析液のような医薬品の形態の相違、組成の相違、用量の多少、濃度の濃淡、薬効の強弱、及び／又は付属部品の有無に応じた種類に対応して、順次、木の葉、枝、樹木のように一定の方向性乃至はストーリー性を持つ観念的な図形、記号、模様、及び／又は色彩で、種類を暗示する規則性を有していてもよい。このような規則性を有していると、医療用品類を取り扱う医療従事者や患者は、イメージイラストの雰囲気の違いから、大まかに内容物の種類を把握することができる。
【００３６】
このように識別情報４０及びイメージイラスト５０が、腹膜透析液入りバッグ６３の種類に応じて付されていると、医療従事者は、医療用品類梱包箱１に付された図形等を一見するだけで、収納されている腹膜透析液入りバッグ６３の種類を把握できる。腹膜透析患者は、配送されるべき種類と異なる種類の腹膜透析液入りバッグ６３が、誤って配送された場合、その旨の気付きが促される。その結果、多種類に渡る腹膜透析液入りバッグ６３を明確に識別され、医療従事者と腹膜透析患者とによって、二重に腹膜透析液の誤使用防止を図ることができる。またイメージイラスト５０は、医療用品類を取り扱う医療従事者や患者だけに分かるよう暗示的に表されているので、医療用品類梱包箱１の廃棄時、近隣住人がこれを視認しても、腹膜透析液入りバッグ６３を想起させない。そのため、腹膜透析患者は、安心して医療用品類梱包箱１を廃棄でき、心理的負担を軽減することができる。
【００３７】
図４に示す実施形態において示した図形による他、イメージイラスト５０は、適宜、腹膜透析液入りバッグ６３の種類に応じた記号、模様及び／又は色彩としてもよい。これらを、第３側壁板２３、第４側壁板２４、天蓋フラップ１３及び底面フラップ３３の全て又は少なくとも何れかフラップの全面又は一部に付すことができる。また、第３側壁板２３、第４側壁板２４、天蓋フラップ１３及び底面フラップ３３は、イメージイラスト５０を付すことなく、無地としてもよい。識別情報４０は、腹膜透析液入りバッグ６３の種類に応じた文字の書体、サイズ及び／又は色彩としてもよい。文字をこのようにして付すことで、腹膜透析液入りバッグ６３の種類の相違を、より明確に示すことができる。
【００３８】
底蓋３０は、ＪＩＳ  Ｚ  １５０７に規定された段ボール箱の形式のコード番号０２１５及び０２１６に準拠した組み込みのロック止め式としてもよいし、コード番号０７１２に準拠したいわゆるワンタッチ式としてもよい。ロック止め式は、底面フラップを固定する粘着テープが不要なので、医療用品類梱包箱１を折り畳むことが容易である。ワンタッチ式は、同様に粘着テープが不要であることに加え、底面フラップを起こすことなく医療用品類梱包箱１を折り畳むことができるので、腹膜透析患者の負担を一層軽減することができる。
【００３９】
医療用品類梱包箱１は、複数が重ねられず、１枚のみが廃棄される場合、次のように折り畳まれる。まず、図２に示すように側辺２５ｂで外壁側を山折にされて折り畳まれる。医療用品類梱包箱１は、さらに第３側壁板２３と第４側壁板２４との境界の側辺２５ａで外壁側を谷折にされて又は第３側壁板２３と第４側壁板２４と側辺２５ｂ同士の中線で外壁側を山折りにされて折り畳まれる。天蓋フラップ１１、第１側壁板２１及び底面フラップ３１は、中程で谷折りにされている（不図示）。このとき、医療用品類梱包箱１は、段ボールの復元力によって側辺２５ｂでのみ折り畳まれた状態へ戻ろうとする。これを防ぐため、医療用品類梱包箱１は、紐８０で確りと結束される。その結果、識別情報４０は、隠されて視認できない。
【００４０】
医療用品類梱包箱１に収納される収納物は、腹膜透析液入りバッグ６３の他、インスリンが収容されたプレフィルドシリンジ、又は在宅中心静脈療法の輸液剤入バッグのような在宅医療用の医薬品が挙げられる。
【００４１】
医療用品類梱包箱１の形状は、ＪＩＳ  Ｚ  １５０７に記載の何れの形態であってもよい。
【００４２】
医療用品類梱包箱１を形成している段ボールは、両面段ボール、複両面段ボール又は複々両面段ボールである。また、これら段ボールの中芯の段は、ＪＩＳ  Ｚ  ０１０４に準拠したＡ段、Ｂ段、Ｃ段又はＥ段の何れであってもよい。
【００４３】
医療用品類梱包箱１は、板紙によって形成されていてもよい。板紙は、紙器用板紙であって、白板紙、黄板紙、チップボール又は色板紙が用いられる。板紙は、収納される医療用品類の重量が比較的軽い場合に好適に用いられる。
【００４４】
医療用品類梱包箱１の別な実施形態の斜視図を、図５（ａ）に示す。天蓋１０は、２つの天蓋フラップの突き合わせによらず、第１側壁板２１の上辺に連接している天蓋フラップ１１のみによって形成されている。第３側壁板２３の上辺に連接しているフラップは、内フラップ１３ａとなっている。この実施形態によれば、識別情報４０を、天蓋フラップ１１の中央部に大きく付すことができるので、一層識別し易くすることができる。天蓋１０は、腹膜透析液入りバッグ６３が収納された後、内フラップ１２，１４が折り込まれ、これらを覆って内フラップ１３ａが折り込まれて、さらにこれを覆って天蓋フラップ１１が折り込まれて形成される。天蓋フラップ１１の第１側壁板２１に連接している辺と対向する辺は、粘着テープ１５によって固定される。
【００４５】
医療用品類梱包箱１は、天蓋１０の形成時と逆順の操作によって開けられて、透析液入りバッグ６３が取り出された後、廃棄される。廃棄される状態の斜視図を図５（ｂ）に示す。この際医療用品類梱包箱１は、折り込まれている天蓋フラップ１１、底面フラップ３１，３３及び内フラップ１２，１３ａ，１４，３２，３４が起こされて、側辺２５ｂで折り畳まれる。折り畳まれた複数の医療用品類梱包箱１は、最も上と最も下とを、識別情報４０が付された面を対向するように重ねられ、紐８０で結束されて廃棄される。その結果、第１側壁板２１、第２側壁板２２及び天蓋フラップ１１に付された識別情報４０は、隠されて外部から視認されなくなる。
【００４６】
このように本考案の医療用品類梱包箱１は、識別情報４０が記載されていることによって、配送時や保管時に収納されている腹膜透析液入りバッグ６３のような医療用品類の種類を明確に識別でき、医療用品類の誤使用を生じさせない。また、廃棄時に側辺２５ｂで折り畳むだけの簡易な操作によって識別情報４０を露呈させないようにして、隠蔽することができ、腹膜透析を受けているような在宅治療を受けている患者の心理的負担を軽減させることができる。
【産業上の利用可能性】
【００４７】
本考案の医療用品類梱包箱は、医療用品類の配送、保管に用いられる。
【符号の説明】
【００４８】
１：医療用品類梱包箱、  １０：天蓋、  １１：天蓋フラップ、  １２：内フラップ、  １３：天蓋フラップ、  １３ａ：内フラップ、  １４：内フラップ、  １５：粘着テープ、  ２０：筒状部、  ２１：第１側壁板、  ２２：第２側壁板、  ２３：第３側壁板、  ２４：第４側壁板、  ２５ａ，２５ｂ：側辺、  ２６：継しろ、  ３０：底蓋、  ３１：底面フラップ、  ３２：内フラップ、  ３３：底面フラップ、  ３４：内フラップ、  ３５：粘着テープ、  ４０：識別情報、  ５０：イメージイラスト、  ６１：外袋、  ６２：チューブ、  ６３：腹膜透析液入りバッグ、  ６４：隔壁、  ６５：排液バッグ、  ７１：識別情報表出面、  ７２：識別情報非表出面、  ８０：紐
【図１】
0003182647.tif 000003
【図２】
0003182647.tif 000004
【図３】
0003182647.tif 000005
【図４】
0003182647.tif 000006
【図５】
0003182647.tif 000007